(57)【特許請求の範囲】
【請求項１】
遊技機の受皿から落下する遊技媒体を受け入れる遊技媒体受入具であって、
前記遊技機が設置された膳板に配設された本体部材と、
底部とこの底部に立設する立設壁部とを備え前記本体部材の内部に配設された玉はね防止カバーと、を有し、
前記立設壁部の上端部には、前記玉はね防止カバーの外側に向けて下方に傾斜する切欠き部が形成されており、
前記玉はね防止カバーは、前記本体部材に対して可動に支持され、付勢手段の付勢力により前記本体部材から前記受皿に向けて迫り出し、
前記付勢手段は、前記本体部材と前記玉はね防止カバーの底部との間に配設されており、前記本体部材に対して前記玉はね防止カバーを鉛直方向に付勢することを特徴とする遊技媒体受入具。
【請求項２】
前記本体部材及び前記玉はね防止カバーのいずれか一方に形成されたガイド部材と、他方に形成されたガイド溝と、を有し、前記本体部材に対して前記玉はね防止カバーが移動する際に、前記ガイド部材が前記ガイド溝にガイドされることを特徴とする請求項１に記載の遊技媒体受入具。
【請求項３】
前記付勢手段は、複数個配設されるとともに前記玉はね防止カバーの中心から等距離に配設されていることを特徴とする請求項１又は請求項２に記載の遊技媒体受入具。
【請求項４】
前記立設壁部は、内側に配設された内側壁と外側に配設された外側壁と前記内側壁と前記外側壁とを結ぶ横部材とを備えた二重壁構造になっていることを特徴とする請求項１乃至請求項３のいずれか一項に記載の遊技媒体受入具。
【請求項５】
前記膳板に対する前記本体部材の高さ調節を行う本体調節機構と、
前記本体部材に係合され、前記膳板に向けて迫り出すスカートカバーと、
前記本体部材に対する前記スカートカバーの高さ調節を行うスカート調節機構と、を有することを特徴とする請求項１乃至請求項４のいずれか一項に記載の遊技媒体受入具。
【請求項６】
前記本体調節機構は、
前記本体部材に螺合される高さ調節ネジと、
前記本体部材に対して前記高さ調節ネジの移動を制限するロック部材と、を備えていることを特徴とする請求項５に記載の遊技媒体受入具。
【発明の詳細な説明】
【技術分野】
【０００１】
本発明は、遊技機の受皿から落下する遊技媒体を受け入れる遊技媒体受入具に関する。
【背景技術】
【０００２】
従来、一対のパチンコ機及び玉貸機毎に対応付けて設置され、パチンコ機の前面下部の受皿から落下する遊技媒体を玉貸機の下端側に収納されている玉計数機に案内する遊技媒体案内ユニットが知られている（例えば、特許文献１参照）。遊技媒体案内ユニットは、遊技媒体を受け入れる遊技媒体受入具と、遊技媒体受入具内の遊技媒体を玉計数機に流下させる案内流路部とを主に有している。
【０００３】
特許文献１に係る遊技媒体受入具は、遊技媒体を貯留する本体部材と、本体部材に対して上下動する玉はね防止カバーと、本体部材と玉はね防止カバーとを連結する連結部（支点）と、本体部材に対して玉はね防止カバーを上方へ付勢する捩りコイルばねと、を備えている。連結部は、本体部材に対して玉はね防止カバーの左端をピン支持し、玉はね防止カバーの右端がピンを支点に上下に回動可能に構成されている。玉はね防止カバーは、捩りコイルばねの付勢によって本体部材の上端から上方に常時迫り出しており、本体部材と遊技機の受皿との隙間を塞ぐようになっている。
【０００４】
遊技機の前扉は、遊技機の左端において上下方向を回動軸とするヒンジ構造になっている。特許文献１に係る遊技媒体受入具において、遊技機の前扉が開閉する際には、前扉の下端が玉はね防止カバーの周囲に形成された案内路（テーパー）に当接しながら移動し、玉はね防止カバーを押し下げる。これにより、前扉の開閉動作が阻害されないようになっている。
【先行技術文献】
【特許文献】
【０００５】
【特許文献１】特開平０９−３１３７２３号公報
【発明の概要】
【発明が解決しようとする課題】
【０００６】
玉はね防止カバーは上方に向けて先細りとなるテーパーが形成されているため、前記回動軸回りに水平移動する前扉が玉はね防止カバーに当接すると、玉はね防止カバーに前後方向（前扉に対して垂直な方向）成分の力が作用する。
【０００７】
特許文献１に係る玉はね防止カバーは、前後方向を回動軸とする片持ち構造となっているため、玉はね防止カバーに作用する上下方向成分の力は吸収することができるが、前後方向成分の力は吸収することができない。これにより、連結部を中心とする上下方向軸回りの曲げモーメントが作用するため、連結部が破損しやすいという問題があった。
【０００８】
そこで本発明は、前記した問題に鑑みてなされたものであり、遊技媒体の外部への跳び出しを阻止するとともに遊技機の前扉の開閉動作を阻害せず、さらには、耐久性の高い遊技媒体受入具を提供することを目的とする。
【課題を解決するための手段】
【０００９】
本発明は、上記課題を解決したものであり、遊技機の受皿から落下する遊技媒体を受け入れる遊技媒体受入具であって、前記遊技機が設置された膳板に配設された本体部材と、底部とこの底部に立設する立設壁部とを備え前記本体部材の内部に配設された玉はね防止カバーと、を有し、前記立設壁部の上端部には、前記玉はね防止カバーの外側に向けて下方に傾斜する切欠き部が形成されており、前記玉はね防止カバーは、前記本体部材に対して可動に支持され、付勢手段の付勢力により前記本体部材から前記受皿に向けて迫り出し、前記付勢手段は、前記本体部材と前記玉はね防止カバーの底部との間に配設されており、前記本体部材に対して前記玉はね防止カバーを鉛直方向に付勢することを特徴とする。
【００１０】
かかる構成によれば、本体部材よりも上方に迫り出す玉はね防止カバーがあるため、遊技媒体受入具の外部に遊技媒体が跳び出るのを防ぐことができる。また、迫り出した立設壁部の端部に切欠き部が形成されているため、遊技機の前扉の開閉動作を阻害しない。また、玉はね防止カバーの底部を鉛直方向に付勢する付勢手段を備えているため、遊技機の前扉と玉はね防止カバーが当接した際に、玉はね防止カバーを傾倒させて玉はね防止カバーに作用する力を吸収ことができる。これにより遊技媒体受入具の耐久性を高めることができる。
【００１１】
また、前記本体部材及び前記玉はね防止カバーのいずれか一方に形成されたガイド部材と、いずれか他方に形成されたガイド溝と、を有し、前記本体部材に対して前記玉はね防止カバーが移動する際に、前記ガイド部材が前記ガイド溝によってガイドされることが好ましい。かかる構成によれば、玉はね防止カバーを安定して上下動させることができる。
【００１２】
また、前記付勢手段は、複数個配設されるとともに前記玉はね防止カバーの中心から等距離に配設されていることが好ましい。かかる構成によれば、バランスよく力を吸収することができるため、より耐久性を高めることができる。
【００１３】
また、前記立設壁部は、内側に配設された内側壁と外側に配設された外側壁と前記内側壁と前記外側壁とを結ぶ横部材とを備えた二重壁構造になっていることが好ましい。玉はね防止カバーが、遊技機の前扉と接触すると欠損したり磨耗したりするが、かかる構成によれば、玉はね防止カバーの耐久性を高めることができる。
【００１４】
また、前記膳板に対する前記本体部材の高さ調節を行う本体調節機構と、前記本体部材に係合され、前記膳板に向けて迫り出すスカートカバーと、前記本体部材に対する前記スカートカバーの高さ調節を行うスカート調節機構と、を有することが好ましい。かかる構成によれば、膳板に対する本体部材の高さを容易に調節することができる。また、本体部材に対するスカートカバーの高さを容易に調節することができる。
【００１５】
また、前記本体調節機構は、前記本体部材に螺合される高さ調節ネジと、前記本体部材に対して前記高さ調節ネジの移動を制限するロック部材と、を備えていることが好ましい。かかる構成によれば、本体部材の高さを確実に固定することができる。
【発明の効果】
【００１６】
本発明に係る遊技媒体受入具によれば、遊技媒体の外部への跳び出しを阻止するとともに、遊技機の前扉の開閉動作を阻害せず、さらには、耐久性の高い遊技媒体受入具を提供することができる。
【図面の簡単な説明】
【００１７】
【図１】本実施形態に係る遊技媒体案内ユニットの設置態様を示す外観斜視図である。
【図２】本実施形態に係る遊技媒体案内ユニットを上方から見た斜視図である。
【図３】本実施形態に係る遊技媒体受入具の分解斜視図である。
【図４】本実施形態に係る本体部材の分解斜視図である。
【図５】本実施形態に係る玉はね防止カバーであって、（ａ）は上方から見た斜視図、（ｂ）は下方から見た斜視図である。
【図６】本実施形態に係る付勢手段及びガイド機構を示す斜視図である。
【図７】（ａ）はガイド部材の側面図、（ｂ）はガイド部材の正面図、（ｃ）はガイド機構の模式側面図、（ｄ）はガイド機構の模式正面図を示す。
【図８】本実施形態に係る遊技媒体案内ユニットを下方から見た斜視図である。
【図９】本実施形態に係る遊技媒体受入具を下方から見た分解斜視図である。
【図１０】本体調節機構を示した図であって、（ａ）は斜視図、（ｂ）はロック前を示す平面図、（ｃ）はロック後を示す平面図である。
【図１１】本実施形態に係るベース及び高さ調節ネジを示す斜視図であって、（ａ）は固定前、（ｂ）は固定後を示す。
【図１２】（ａ）は図２のI−I模式端面図、（ｂ）は図２のII−II模式端面図である。
【発明を実施するための形態】
【００１８】
以下、本発明の実施形態について添付図面を参照して説明する。本実施形態に係る遊技媒体案内ユニットは、遊技結果に応じて遊技媒体を外部の受皿に払い出す遊技機毎に設置される。
【００１９】
図１に示すように、本実施形態では、遊技媒体案内ユニット１がパチンコ機１００に設置される場合を例示する。説明においてはパチンコ機１００に対して遊技者側を前側、前側の反対側を後側とし、遊技者から見て左を左側、右を右側とし、遊技者から見て上を上側、下を下側とする。
【００２０】
＜遊技媒体案内ユニット１の概略構成＞
図１に示すように、遊技媒体案内ユニット１は、遊技媒体Ｂを受け入れて一時貯留する遊技媒体受入具１１と、この遊技媒体受入具１１で一時貯留された遊技媒体Ｂを玉計数機１０３に案内する案内流路部１２と、端玉を返却する端玉返却部１３とを主体に構成されている。なお、本実施形態に係る端玉は、所定数に達しない遊技媒体を言い、玉貸機１０１の払出しボタンを押すと払い出される。
【００２１】
遊技媒体案内ユニット１は、一対のパチンコ機１００及び玉貸機１０１毎に対応付けて設置され、パチンコ機１００の前面下部の受皿１０２から落下する遊技媒体Ｂを玉貸機１０１の下端側に収納されている玉計数機１０３に案内するための器具である。
【００２２】
パチンコ機１００から受皿１０２に払い出された遊技媒体Ｂは、遊技者の排出レバー１０２ａのスライド操作によってシャッタ１０２ｂが開くことにより、開口した落下口から遊技媒体受入具１１へ落下する。
【００２３】
玉計数機１０３は、通過する遊技媒体Ｂをそれぞれ検知して計数する遮光型フォトセンサなどの計数センサであり、この計数センサにて計数を終えた遊技媒体Ｂは、玉計数機１０３の後側の排出口１０５からパチンコ島の内部に排出されて回収される。
【００２４】
案内流路部１２は、図１及び図２に示すように、遊技媒体受入具１１で貯留された遊技媒体Ｂを玉計数機１０３に導く流路である。案内流路部１２は、遊技媒体受入具１１に連結された下部流路１２ａと、下部流路１２ａと玉計数機１０３とを接続する接続部１２ｂとを有する。具体的な図示はしないが、下部流路１２ａ及び接続部１２ｂには、玉計数機１０３側に連通する流路が形成されている。この流路は、玉計数機１０３側に向けて遊技媒体Ｂが流下するよう緩やかに傾斜している。
【００２５】
端玉返却部１３は、図１及び図２に示すように、遊技媒体受入具１１及び案内流路部１２に並設されており、端玉を遊技者に返却するための部材である。端玉返却部１３は、玉計数機１０３に接続される接続部１３ａと、下部流路１２ａの上に形成された上部流路１３ｂと、上部流路１３ｂに接続された端玉保持部１３ｃとを有する。具体的な図示はしないが、接続部１３ａ及び上部流路１３ｂには、端玉保持部１３ｃ側に連通する流路が形成されている。この流路は、端玉保持部１３ｃに向けて遊技媒体Ｂが流下するよう緩やかに傾斜している。
【００２６】
端玉保持部１３ｃは、遊技媒体Ｂを複数個保持できる中空部を備えている。端玉保持部１３ｃは、本実施形態では、可動蓋部材１３ｄを備えており、遊技者の手で可動蓋部材１３ｄを下方から押し上げることで、端玉が遊技者の手に流下するように形成されている。
【００２７】
図１に示すように、パチンコ機１００は、膳板Ｚに設置されている。膳板Ｚは、パチンコ機１００が設置される遊技台設置面Ｚ１と、遊技媒体受入具１１が設置される受入具設置面Ｚ２と、段差面Ｚ３とで構成されている。受入具設置面Ｚ２は、遊技台設置面Ｚ１よりも一段下がった位置に形成されている。段差面Ｚ３は、遊技台設置面Ｚ１及び受入具設置面Ｚ２に対して垂直に形成されている。段差面Ｚ３の高さは、パチンコ機１００を複数並設して構成された遊技島の構造によって異なるが、例えば、１０ｍｍ〜２０ｍｍになっている。
【００２８】
＜遊技媒体受入具１１の詳細な構成＞
遊技媒体受入具１１は、図３に示すように、本体部材２１（２１Ａ，２１Ｂ）と、弾性壁部材２２と、玉はね防止カバー２３と、付勢手段２４と、ガイド機構２５と、スカートカバー２６とで主に構成されている。
【００２９】
図４に示すように、本体部材２１は、下部本体部材２１Ａと、上部本体部材２１Ｂとで構成されている。下部本体部材２１Ａは、中底部３０と、中底部３０に対してそれぞれ垂直に形成された前壁部３１、後壁部３２、左壁部３３、右壁部３４を備えている。
【００３０】
中底部３０は、各壁部の略中間の高さ位置に形成されている。中底部３０には、後記する高さ調節ネジ８１（図８参照）が螺合されるネジ溝３５と、左壁部３３を貫通し案内流路部１２に連通する流路１２ｄと、が形成されている。また、中底部３０には、ガイド機構２５を構成する一対のガイドベース６０がビスで固定されている。
【００３１】
後壁部３２には、上下方向に貫通した爪係合孔３２ａ，３２ａが所定の間隔をあけて形成されている。また、後壁部３２には、前後方向に貫通する貫通孔３２ｂが四箇所に形成されている。
【００３２】
上部本体部材２１Ｂは、図４に示すように、受け部４１と、受け部４１の周囲に立設する側壁４２と、係合爪４３と、脚部４４とを有する。受け部４１は、平面視略矩形を呈し、落下する遊技媒体Ｂを受けて、遊技媒体Ｂを貯留しつつ案内流路部１２方向に流下させる部位である。受け部４１の表面には、遊技媒体Ｂが跳ねるのを防止するために、ゴムなどの低反発材が敷設されている。また、受け部４１には、下部本体部材２１Ａの流路１２ｄに向けて傾斜する傾斜流路４１ａが形成されている。受け部４１は、傾斜流路４１ａに遊技媒体Ｂが流下するように緩やかに傾斜している。
【００３３】
係合爪４３は、側壁４２の後側から下方に延設されており、爪係合孔３２ａに対応する位置に左右に一対設けられている。係合爪４３は、下部本体部材２１Ａの爪係合孔３２ａにそれぞれ係合される。
【００３４】
脚部４４は、受け部４１の裏面に所定の長さで五箇所に形成されている。脚部４４は、後記する玉はね防止カバー２３の挿通孔５１ｃ，５１ｄ（図５参照）を挿通して、ガイドベース６０の支持溝６５又は下部本体部材２１Ａの中底部３０に当接する。
【００３５】
係合爪４３が爪係合孔３２ａに係合されるとともに、脚部４４がそれぞれ支持溝６５及び中底部３０に当接することにより、上部本体部材２１Ｂの受け部４１は、中底部３０から所定の空間をあけて配置される。下部本体部材２１Ａの中底部３０と上部本体部材２１Ｂの受け部４１との間に、玉はね防止カバー２３が配設される。
【００３６】
弾性壁部材２２は、図４に示すように、基部４６と、基部４６から立ち上がる立壁４７とを有する。基部４６には、後側に突出する係合突起４６ａが四箇所に形成されている。係合突起４６ａは、下部本体部材２１Ａの貫通孔３２ｂに係合される部位である。立壁４７は、上部本体部材２１Ｂの左右方向の長さと略同等の長さで形成されている。弾性壁部材２２を下部本体部材２１Ａに係合させると、立壁４７が下部本体部材２１Ａの後壁部３２の上端よりも上方に突出する。立壁４７の左端部４７ａ，右端部４７ａは、前方に向けて傾斜しており、受け部４１側に張り出すようになっている。
【００３７】
弾性壁部材２２は、このように形成されているため、受け部４１で跳ねた遊技媒体Ｂが、受け部４１の後側から遊技媒体受入具１１とパチンコ機１００（図１参照）との隙間に入り込んでしまうのを防止することができる。
【００３８】
玉はね防止カバー２３は、図５の（ａ）及び（ｂ）に示すように、底部５１と、底部５１の周囲に立設する立設壁部５２と、底部５１の裏面に形成されたガイド溝５３と、付勢手段２４が挿通する突条５４とを主に有する。玉はね防止カバー２３は、下部本体部材２１Ａ（図４参照）の内部に配設されるように下部本体部材２１Ａの表面側の内周よりも一回り小さくなっている。
【００３９】
底部５１は、玉はね防止カバー２３の底を形成する板状部材であって、逃げ孔５１ａと、孔部５１ｂと、挿通孔５１ｃ，５１ｄと、を有する。逃げ孔５１ａは、平面視矩形を呈し、上部本体部材２１Ｂ（図４参照）の傾斜流路４１ａを逃がすための孔である。孔部５１ｂは、平面視円形を呈し、後記する高さ調節ネジ８１を逃がすための孔である。挿通孔５１ｃは、平面視円形を呈し、前記した上部本体部材２１Ｂの四隅の脚部４４を逃がすための孔である。挿通孔５１ｄは、平面視矩形を呈し、前記した上部本体部材２１Ｂの中央の脚部４４を逃がすための孔である。
【００４０】
立設壁部５２は、平面視コの字状を呈し、底部５１の前側及び左右両側に立設している。立設壁部５２は、遊技媒体Ｂが遊技媒体受入具１１の外部へ跳び出すのを阻止する部材である。立設壁部５２は、内側に配設された内側壁５２ａと、外側に配設された外側壁５２ｂと、上端を構成する上部材（上端部）５２ｃと、内側壁５２ａと外側壁５２ｂを結ぶ横部材５２ｄとを有する。つまり、立設壁部５２は、内側壁５２ａと外側壁５２ｂとを備えた二重壁構造になっている。横部材５２ｄは、内側壁５２ａと外側壁５２ｂに対してそれぞれ垂直に配設された板状部材である。このように、立設壁部５２を二重壁構造とすることにより、玉はね防止カバー２３の耐久性を高めている。
【００４１】
立設壁部５２の上部材（上端部）５２ｃの四つの角部には、それぞれ外側に向けて下方に傾斜する第一切欠き部５６、第二切欠き部５７、第三切欠き部５８及び第四切欠き部５９が形成されている。つまり、第一切欠き部５６〜第四切欠き部５９は、玉はね防止カバー２３の中心から離間するにつれて下方に傾斜するようになっている。第一切欠き部５６〜第四切欠き部５９は、パチンコ機１００（図１参照）の前扉１０４の開閉を阻害しないための傾斜部分である。
【００４２】
より詳しくは、第一切欠き部５６及び第四切欠き部５９は、前側から後側に向けて下方に傾斜している。第二切欠き部５７は、平面視三角形状に切り欠かれており、前側及び右側に向けて下方に傾斜している。第三切欠き部５８は、平面視三角形状に切り欠かれており、前側及び左側に向けて下方に傾斜している。なお、前扉１０４の開閉動作の際に、前扉１０４と立設壁部５２とが当接しない部位には切欠き部を設けなくてもよい。つまり、本実施形態では、立設壁部５２の右側前方の角部と前扉１０４とが当接しないため、第二切欠き部５７は設けなくてもよい。
【００４３】
ガイド溝５３は、図５に示すように、後記するガイド部材６４（図６参照）を上下方向にガイドする溝である。ガイド溝５３は、底部５１の裏面に左右に一対設けられている。また、ガイド溝５３，５３は、左右方向の中心に対して線対称となるように配設されている。ガイド溝５３は、側部ガイド面５３ａと、前後ガイド面５３ｂ，５３ｂと、端部ガイド面５３ｃ，５３ｃとを有する。前後ガイド面５３ｂ，５３ｂは互いに向かい合わせになっており、側部ガイド面５３ａに対して垂直になっている。端部ガイド面５３ｃ，５３ｃは、前後方向に間隔をあけて形成されており、前後ガイド面５３ｂ，５３ｂに対してそれぞれ垂直になっている。ガイド溝５３の内側は内方に向けて開放されている。
【００４４】
突条５４は、後記する付勢手段２４（図６参照）が挿入される部位である。突条５４は、円柱状を呈し、底部５１の裏面に左右一対設けられている。突条５４は、本実施形態では、ガイド溝５３の内側に設けられている。なお、本実施形態においては、ガイド溝５３の前後に、突条５４と同等の形状からなる予備突条５４ａ，５４ａが形成されている。
【００４５】
付勢手段２４は、図６に示すように、本実施形態ではコイルスプリングを用いている。付勢手段２４は、鉛直方向上方に向って玉はね防止カバー２３を付勢する部材である。付勢手段２４は、本実施形態では左右に一対設けている。玉はね防止カバー２３の左右方向の中心から各付勢手段２４，２４までの距離は同等になっている。付勢手段２４は、後記するガイドベース６０の受け座６２に保持されるとともに、その中空部に突条５４が挿入される。つまり、付勢手段２４は、一端が受け座６２に当接し、他端が玉はね防止カバー２３の底部５１に当接する。
【００４６】
なお、付勢手段２４は、本実施形態ではコイルスプリングを用いたが、これに限定されるものではない。付勢手段２４は、本体部材２１に対して玉はね防止カバー２３を鉛直方向上方に付勢するとともに、玉はね防止カバー２３に作用する力を吸収する部材であれば他の部材を用いてもよい。
【００４７】
ガイド機構２５は、玉はね防止カバー２３の裏面に形成されたガイド溝５３と下部本体部材２１Ａ（本体部材２１）に固定されたガイドベース６０とによって構成されている。ガイドベース６０は、図６に示すように、基板６１と、受け座６２と、支持板６３と、ガイド部材６４と、支持溝６５と、凸型ガイド部材６６とを有する。ガイドベース６０は、ガイド溝５３に対応して左右に一対設けられており、左右方向の中心に対して線対称になっている。
【００４８】
受け座６２は、円筒状を呈し基板６１に立設されている。受け座６２の中空部に付勢手段２４が保持される。なお、本実施形態では、支持板６３の前後に、予備受け座６２ａ，６２ａが形成されている。予備受け座６２ａ，６２ａは、予備突条５４ａ，５４ａに対応して形成されている。
【００４９】
ガイド部材６４は、基板６１に垂直に立設された支持板６３に形成されている。ガイド部材６４は、ガイド溝５３に対応して形成されており、玉はね防止カバー２３の上下動に伴ってガイド溝５３内を上下動する。
【００５０】
ガイド部材６４は、図７の（ａ）に示すように、中央部分に形成された幅狭部６４ａと、幅狭部６４ａの上下端に形成された幅広部６４ｂ，６４ｂとを備えている。幅広部６４ｂの外周は、円弧を含んで形成されている。
【００５１】
凸型ガイド部材６６は、図７の（ａ）及び（ｂ）に示すように、支持板６３に形成されており、ガイド部材６４を挟んで一対設けられている。凸型ガイド部材６６は、ガイド溝５３の端部ガイド面５３ｃと対向する位置に形成されている。凸型ガイド部材６６は、中央部６６ａと、中央部６６ａの上下端に形成されたテーパー部６６ｂ，６６ｂとを有する。中央部６６ａの断面形状は、一定の半径からなる半円になっている。
【００５２】
上側のテーパー部６６ｂは、中央部６６ａに連続して形成されており、上側に向かって幅狭となるテーパーが形成されている。つまり、上側のテーパー部６６ｂの断面形状は、半円になっており、その半径が上側に向かって徐々に小さくなっている。一方、下側のテーパー部６６ｂは、中央部６６ａに連続して形成されており、下側に向かって幅狭となるテーパーが形成されている。つまり、下側のテーパー部６６ｂの断面形状は、半円になっており、その半径が下側に向かって徐々に小さくなっている。
【００５３】
支持溝６５は、図６に示すように、基板６１において、玉はね防止カバー２３の挿通孔５１ｃに対応する位置に形成されている。支持溝６５は、上部本体部材２１Ｂの脚部４４が当接する部位である。上部本体部材２１Ｂの四隅の脚部４４は、玉はね防止カバー２３の挿通孔５１ｃを挿通して支持溝６５に当接する。
【００５４】
ここで、付勢手段２４及びガイド機構２５の作用について説明する。
図６及に示すように、付勢手段２４の付勢によって、下部本体部材２１Ａに固定されたガイドベース６０に対して玉はね防止カバー２３が鉛直方向上方に常時付勢される。玉はね防止カバー２３に外力が加えられた際には、ガイド部材６４及び凸型ガイド部材６６が玉はね防止カバー２３のガイド溝５３にガイドされて上下動する。
【００５５】
図６及び図７の（ｃ）に示すように、一対のガイド部材６４の幅広部６４ｂが、対向する一対の前後ガイド面５３ｂ，５３ｂに沿って摺動するか、又は微細な隙間をあけて移動するため、玉はね防止カバー２３が左右のガイド溝５３を通る軸（図１の左右方向軸）及び玉はね防止カバー２３の中心を通る鉛直方向の軸（図１の上下方向軸）の回りに回転するのを防ぐことができる。
【００５６】
また、図６及び図７の（ｄ）に示すように、一対の凸型ガイド部材６６が、対向するガイド溝５３の一対の端部ガイド面５３ｃ，５３ｃに沿って摺動するか、又は微細な隙間をあけて移動するため、玉はね防止カバー２３が、玉はね防止カバー２３の中心を通って前扉１０４に対して垂直な軸（図１の前後方向軸）回りに回転するのを所定の範囲で防ぐことができる。
【００５７】
ガイド部材６４には幅狭部６４ａが形成されているため、ガイド部材６４と前後ガイド面５３ｂ，５３ｂとの接触面積が小さい。これにより、ガイド溝５３とガイド部材６４との摩擦が小さくなるため、玉はね防止カバー２３をスムーズに上下動させることができる。
【００５８】
また、凸型ガイド部材６６にはテーパー部６６ｂが形成されているため、このテーパー部６６ｂに沿って、対向するガイド溝５３の端部ガイド面５３ｃをスムーズに案内することができる。
【００５９】
スカートカバー２６は、図８に示すように、本体部材２１（下部本体部材２１Ａ）の下部において、スカート調節機構７０を介して本体部材２１に対して上下に移動可能に形成されている。また、本体部材２１（下部本体部材２１Ａ）の下部には、受入具設置面Ｚ２（図１参照）に対して本体部材２１の上下方向の高さを調節する本体調節機構８０が形成されている。まずは、下部本体部材２１Ａの裏側の構成について説明する。
【００６０】
図９に示すように、下部本体部材２１Ａの中底部３０の裏面には、第一係合部３６と、ロック係合部３７とが形成されている。
【００６１】
第一係合部３６は、枠状を呈し、中底部３０の裏面に形成されている。第一係合部３６は、スカートカバー２６の第二係合部７３と係合することにより、スカート調節機構７０を構成する。第一係合部３６は、左右に離間して形成された一対の側板３６ａ，３６ａと、前後に離間して形成された一対の前後板３６ｂ，３６ｂと、を有する。側板３６ａの中央には、下方が開放されたスリット３６ｃがそれぞれ形成されている。また、側板３６ａの内側には、内方に向けて突出した位置決め突起３６ｄが形成されている。位置決め突起３６ｄは、本実施形態では、上下方向に四段並設されている。
【００６２】
一方、ロック係合部３７は、中底部３０の裏面において、ネジ溝３５周りに形成されている。ロック係合部３７は、後記するロック部材８２（図１０参照）が係合される部位である。ロック係合部３７は、基部面３７ａと、基部面３７ａに形成された一対の挿入溝３７ｂ，３７ｂと、ストッパ爪３７ｃと、を有する。
【００６３】
挿入溝３７ｂは、ネジ溝３５を挟んで左右両側に形成されおり、左右線対称になっている。挿入溝３７ｂは、前後方向に延設された溝を備えており、後側が開放され、前側が塞がれている。ストッパ爪３７ｃは、基部面３７ａにおいて、ネジ溝３５の後側において、後側に向かって延設された爪である。ストッパ爪３７ｃの周囲には逃げ穴が形成されているため、ストッパ爪３７ｃの先端は自由端になっている。ストッパ爪３７ｃの爪部３７ｄは、基部面３７ａよりも下方に向けて突出している。
【００６４】
スカートカバー２６は、図９に示すように、平面視矩形を呈する部材である。スカートカバー２６は、下部本体部材２１Ａの裏側の内周よりも一回り小さく形成されている。スカートカバー２６は、基板部７１と、基板部７１の周囲に垂下する周壁部７２と、基板部７１に形成された第二係合部７３と、を主に有する。
【００６５】
基板部７１には、開口７１ａが形成されており、第二係合部７３が露出している。開口７１ａは、下部本体部材２１Ａの第一係合部３６が挿通される孔である。また、基板部７１には、開口７１ｂが形成されている。開口７１ｂは、ロック係合部３７が挿通されるための孔である。
【００６６】
周壁部７２は、基板部７１の全周の縁から下方に向けて所定の高さで延設されている。周壁部７２は、下部本体部材２１Ａの下部から下方に迫り出して、下部本体部材２１Ａと受入具設置面Ｚ２との隙間への遊技媒体Ｂの進入を防ぐ部位である。
【００６７】
第二係合部７３は、基板部７１の裏面に形成されており、受入部７４と、可撓板７５と、を主に有する。受入部７４は、基板部７１に取り付けられており、前後方向に一対形成されている。受入部７４は、断面視Ｕ字状を呈し、第一係合部３６の前後板３６ｂが挿入される部位である。
【００６８】
可撓板７５は、受入部７４の左右端に一対設けられている。可撓板７５の下端は、受入部７４の下部に取り付けられており、上端は自由端になっている。可撓板７５には、外側に向けて突出した押圧部７６が形成されている。また、可撓板７５の上端には、外側に向けて突出した係止爪７７が形成されている。係止爪７７は、押圧部７６を挟んで前後に一対設けられている。
【００６９】
スカート調節機構７０によって高さを調節する場合、使用者は、指で第二係合部７３の押圧部７６，７６を内側に押圧して可撓板７５を内方に撓ませつつ、押圧部７６を第一係合部３６のスリット３６ｃに挿入し、前後板３６ｂに受入部７４を挿入する。所望の高さで、押圧部７６の入力を解除すると、係止爪７７が位置決め突起３６ｄに係合する。これにより、下部本体部材２１Ａに対してスカートカバー２６を所望の高さ位置で係合できる。
【００７０】
本体調節機構８０は、図１０に示すように、前記したロック係合部３７と、高さ調節ネジ８１と、ロック部材８２とで構成されている。高さ調節ネジ８１は、円板状の回動部８１ａと、回動部８１ａに立設する軸部８１ｂとを有する。軸部８１ｂの外周面にはネジ溝が刻設されている。ネジ溝のピッチは特に制限されないが、本実施形態では、高さ調節ネジ８１を一回転させると２ｍｍ上昇又は下降するようになっている。また、図１０の（ｂ）に示すように、軸部８１ｂには、ロック部材８２が当接する当接面８１ｃ，８１ｃが形成されている。軸部８１ｂは、下部本体部材２１Ａのネジ溝３５に螺合される。
【００７１】
ロック部材８２は、図１０の（ｂ）に示すように、押込バー８２ａと、押込バー８２ａに連続する挟持部８２ｂと、挟持部８２ｂから外側に張り出した張出部８２ｃ，８２ｃと、一方の張出部８２ｃに形成された摘み部８２ｄとを有する。
【００７２】
挟持部８２ｂは、軸部８１ｂの当接面８１ｃに係合可能な形状になっている。張出部８２ｃは、挟持部８２ｂの両側から側方に張り出しており、挿入溝３７ｂ，３７ｂにそれぞれ挿入される。摘み部８２ｄは、張出部８２ｃから斜め側方に張り出しており、押込バー８２ａに対して近接又は離間するように撓む部材である。摘み部８２ｄには、掛止突起８２ｅが形成されている。
【００７３】
本体調節機構８０によって、高さを調節する場合、使用者はまず、図１０の（ｂ）に示すように、ロック部材８２を軸部８１ｂに対峙させる。具体的には、下方（図１０上では紙面上方）からストッパ爪３７ｃにロック部材８２を押し当て、爪部３７ｄが露出する位置までロック部材８２を軸部８１ｂ方向へスライドさせる。爪部３７ｄが露出すると、張出部８２ｃの一部は挿入溝３７ｂに挿入され、挟持部８２ｂが軸部８１ｂに対して係合しない状態（以下、この状態を「係合前状態」ともいう）で対峙する。
【００７４】
ロック部材８２を係合前状態にセットしたら、高さ調節ネジ８１を回動させて、下部本体部材２１Ａに対する高さ調節ネジ８１の高さ位置を調節する。高さ位置が確定したら、ロック部材８２を押し込み、挟持部８２ｂを軸部８１ｂの当接面８１ｃに係合させる。図１０の（ｃ）に示すように、挟持部８２ｂと軸部８１ｂとが係合すると、摘み部８２ｄが挿入溝３７ｂに入り込むとともに、掛止突起８２ｅが挿入溝３７ｂ内の凹部（図示省略）に掛止されてロックされる。
【００７５】
ロックを解除する場合には、摘み部８２ｄと押込バー８２ａの端部を摘みつつロック部材８２を爪部３７ｄ方向にスライドさせ、軸部８１ｂと挟持部８２ｂとの係合を解除する。高さの微調節を行う場合には、ロック部材８２を前記した係合前状態に位置させて行うのが好ましい。係合前状態であれば、挿入溝３７ｂ及びストッパ爪３７ｃがあるため、軸部８１ｂが回動する状態において、ロック部材８２を軸部８１ｂの近傍に位置させることができ、かつ、ロック部材８２が落下しない。これにより、高さの微調節を容易に行うことができる。
【００７６】
なお、図１１に示すように、受入具設置面Ｚ２に対して高さ調節ネジ８１（遊技媒体案内ユニット１）を位置決めする際に、ベース９１を介設してもよい。ベース９１は、固定板９２と、固定板９２から中央に向けて張り出す一対の係止溝９３，９３とを有する。受入具設置面Ｚ２にベース９１を両面テープ等で固定しつつ、高さ調節ネジ８１の回動部８１ａを係止溝９３，９３に挿入することで、受入具設置面Ｚ２に対して高さ調節ネジ８１を容易に位置決めできる。つまり、受入具設置面Ｚ２に対して遊技媒体案内ユニット１（図１参照）の位置決めを容易に行うことができる。
【００７７】
次に、本実施形態に係る遊技媒体案内ユニット１の取り付け手順について説明する。
まず、図３等に示すように、本体部材２１、弾性壁部材２２、玉はね防止カバー２３、付勢手段２４及びガイド機構２５を組み付けて遊技媒体受入具１１を一体形成する。また、案内流路部１２、端玉返却部１３も組み付けて遊技媒体案内ユニット１を一体形成する。
【００７８】
そして、図１に示すように、遊技媒体案内ユニット１の一端を玉貸機１０１の下部に接続しつつ、遊技媒体受入具１１を受入具設置面Ｚ２に設置した際に、遊技媒体案内ユニット１が傾かないように高さ調節ネジ８１を調節する。
【００７９】
より詳しくは、膳板Ｚの段差面Ｚ３（図１参照）の高さを計測した計測値に基づくか、又は段差面Ｚ３の高さと対比しながら高さ調節ネジ８１を回動させて遊技媒体受入具１１の高さ調節を行う。本実施形態では、ベース９１を介設するため、ベース９１の固定板９２の厚みも考慮して高さ調節を行う。この高さ調節については、予め段差面Ｚ３の標準寸法を決めておき、実際に計測した計測値と標準寸法との差で高さ調節ネジ８１の回転数が決定できるようにすれば高さを調節しやすい。
【００８０】
さらに、遊技媒体受入具１１を受入具設置面Ｚ２に設置した際に、受入具設置面Ｚ２と下部本体部材２１Ａとの間に形成される隙間を塞ぐようにスカートカバー２６を調節する。より詳しくは、スカートカバー２６の押圧部７６を内側に押し込みながらスカートカバー２６をフリー状態にし、受入具設置面Ｚ２とスカートカバー２６の下端とを当接させるか、又は、受入具設置面Ｚ２とスカートカバー２６の下端の隙間が遊技媒体Ｂの直径よりも小さくなるように調節する。
【００８１】
最後に、ベース９１に高さ調節ネジ８１を挿入しつつ、図１に示す玉計数機１０３に対して案内流路部１２の接続部１２ｂ、端玉返却部１３の接続部１３ａを接続する。これにより、玉貸機１０１及び受入具設置面Ｚ２に対して遊技媒体案内ユニット１が固定される。
【００８２】
図１２の（ａ）及び（ｂ）に示すように、遊技媒体案内ユニット１（遊技媒体受入具１１）が受入具設置面Ｚ２に固定されると、本体部材２１と受入具設置面Ｚ２の隙間はスカートカバー２６で塞がれる。また、玉はね防止カバー２３は、本体部材２１の上端よりも上方に迫り出している。玉はね防止カバー２３の立設部壁部５２の高さは、本体部材２１に貯留される遊技媒体Ｂが受皿１０２に収容される遊技媒体Ｂの最大容量と略同等の容量を収容可能に決定される。さらに、玉はね防止カバー２３の立設壁部５２の高さは、上部本体部材２１Ｂに落下した遊技媒体Ｂが外部に跳び出さないことを同時に満足させる高さに決定される。
なお、玉はね防止カバー２３と受皿１０２との隙間は、玉はね防止カバー２３が上方に迫り出すことにより、遊技媒体Ｂの直径よりも小さくしてもよい。また、玉はね防止カバー２３が受皿１０２に当接するようにしてもよい。
【００８３】
なお、図１２の仮想ラインＬは、前扉１０４を開閉する際の、前扉１０４の下端１０４ａの移動ラインを示す。弾性壁部材２２及び玉はね防止カバー２３の上端は、仮想ラインＬよりも上方に位置している。
【００８４】
次に、図１２等を参照して、遊技媒体案内ユニット１（遊技媒体受入具１１）の作用について説明する。
図１２の（ｂ）に示すように、玉はね防止カバー２３は、付勢手段２４によって本体部材２１に対して鉛直方向上方に付勢され、本体部材２１の上端よりも上方に迫り出している。これにより、受皿１０２から上部本体部材２１Ｂに落下した遊技媒体Ｂが、前側及び左右側から外部に跳び出ることが阻止される。
【００８５】
また、本体部材２１の後側には、弾性壁部材２２が形成されており、立壁４７が本体部材２１の上端よりも上方に迫り出している。これにより、受皿１０２から上部本体部材２１Ｂに流下した遊技媒体Ｂが、後側から外部に跳び出ることが阻止される。
【００８６】
また、図２及び図１２に示すように、立設壁部５２の角部に第一切欠き部５６、第二切欠き部５７、第三切欠き部５８及び第四切欠き部５９が形成されているため、前扉１０４の開閉動作を阻害しない。つまり、前扉１０４を開く時には、前扉の１０４の下端１０４ａが、第一切欠き部５６及び第四切欠き部５９に沿って玉はね防止カバー２３の上端を摺動しつつ、玉はね防止カバー２３を押し下げる（図１２の矢印Ｙ参照）。
一方、前扉１０４を閉じる時には、前扉１０４の下端１０４ａが、第三切欠き部５８に沿って玉はね防止カバー２３の上端を摺動しつつ、玉はね防止カバー２３を押し下げる。これにより、遊技媒体案内ユニット１を受入具設置面Ｚ２に固定した状態で、前扉１０４をスムーズに開閉することができる。これにより、パチンコ機１００のメンテナンス等における作業を省力化できる。
【００８７】
また、弾性壁部材２２は、ゴムなどの可撓性部材であるため、前扉１０４の下端１０４ａと接触すると前扉１０４の移動に対応して撓む。これにより、前扉１０４の開閉を阻害しない。
【００８８】
ここで、図１等を参照するように、前扉１０４は、左端を支点として右端が回動するヒンジ構造になっている。したがって、前扉１０４を開く際には玉はね防止カバー２３の後側右端が最初に当接し、閉じる際には玉はね防止カバー２３の前側左端が最初に当接する。したがって、前扉１０４が開閉する際には、玉はね防止カバー２３が水平面に対して傾きながら玉はね防止カバー２３を押し下げることになる。
つまり、本実施形態では、玉はね防止カバー２３の底部５１を鉛直方向上方に付勢する付勢手段２４，２４を備えているため、前扉１０４と玉はね防止カバー２３とが当接した際に、玉はね防止カバー２３を水平面に対して傾倒させて玉はね防止カバー２３に作用する力を吸収することができる。これにより、遊技媒体受入具１１の耐久性を高めることができる。
【００８９】
また、本実施形態では、一対の付勢手段２４，２４を左右方向の中心から等距離に配設した。これにより、バランスよく力を吸収することができるため、より耐久性を高めることができる。
【００９０】
また、ガイド機構２５を備えているため、玉はね防止カバー２３を安定して上下動させることができる。なお、前記したガイド機構２５のガイド溝５３とガイド部材６４及び凸型ガイド部材６６とが密接すると玉はね防止カバー２３が水平面に対して傾かないため、玉はね防止カバー２３の傾きを許容する範囲でガイド溝５３とガイド部材６４及び凸型ガイド部材６６との間に多少隙間をあけて配設することが好ましい。
【００９１】
また、玉はね防止カバー２３は、内側壁５２ａ、外側壁５２ｂ及び横部材５２ｄを備えた二重壁構造としたため、玉はね防止カバー２３の耐久性を高めることができる。
【００９２】
また、受入具設置面Ｚ２と本体部材２１と隙間にスカートカバー２６が配設されるため、この隙間に遊技媒体Ｂが入り込むのを防ぐことができる。また、遊技島によって段差面Ｚ３の高さが異なっても、本体調節機構８０を備えているため、受入具設置面Ｚ２に対する本体部材２１の高さを調節することで、遊技媒体案内ユニット１が傾かないように設置することができる。また、スカート調節機構７０を備えているため、本体調節機構８０の高さ調節に対応して、スカートカバー２６の高さも調節することができる。
【００９３】
また、本実施形態によれば、玉はね防止カバー２３、スカート調節機構７０及び本体調節機構８０を備えているため、遊技媒体受入具１１からの遊技媒体Ｂの跳び出しや本体部材２１下部への遊技媒体Ｂの入り込みを阻止しつつ、本体部材２１の大容量化を図れる。
【００９４】
以上、本発明の実施形態について説明したが、本発明の趣旨に反しない範囲において、適宜設計変更が可能である。例えば、本実施形態では、二個の付勢手段２４を用いたが、一個でもいいし、三個以上設けてもよい。付勢手段２４が一個の場合は、玉はね防止カバー２３がバランスよく傾倒する位置に設置することが好ましい。本実施形態では、図６に示したように、玉はね防止カバー２３に予備突条５４ａ、ガイドベース６０に予備受け座６２ａを形成している。これにより、付勢手段２４の数を増やす場合に柔軟に対応できる。
【００９５】
また、本実施形態では、玉はね防止カバー２３にガイド溝５３を、本体部材２１にガイド部材６４を設けたが、これに限定されるものではなく、玉はね防止カバー２３にガイド部材６４を、本体部材２１にガイド溝５３を設けてもよい。
【００９６】
また、本実施形態では、下部本体部材２１Ａと玉はね防止カバー２３との間に付勢手段２４を介設させたが、これに限定されるものではなく、本体部材２１に対して玉はね防止カバー２３が上下動する形態であればよい。例えば、図３を参照すると、上部本体部材２１Ｂと玉はね防止カバー２３との間に付勢手段２４を介設させてもよい。また、例えば、上部本体部材２１Ｂの上に玉はね防止カバー２３を配設して、上部本体部材２１Ｂと玉はね防止カバー２３との間に付勢手段２４を介設させてもよい。
【００９７】
また、例えば、前記した実施形態では、パチンコ店やゲームセンタなどの遊技店舗に設置され、入賞役の抽選を実行し、抽選結果に応じて遊技媒体を払出す機能を有するパチンコ機１００に対応付けて設置される遊技媒体案内ユニット１について説明したが、これに限らず、遊技結果に応じて遊技媒体（球状の遊技媒体や、球状以外の形状の遊技媒体など）を外部の受皿に払出すことができる遊技機であれば他の遊技機に対応付けて設置される遊技媒体案内ユニット１とすることも可能である。
【００９８】
また、前記した実施形態では、付勢手段２４としてコイルスプリングを例に説明したが、これに限らず、電気的に付勢することができる機構部を設けるようにしてもよい。
【００９９】
また、前記した実施形態では、図１１に示すベース９１を設けたが、ベース９１に代えて板状のベース部材を一枚又は複数枚用いてもよい。その他、前記した実施形態における各部材の構成、形状、材質などは単なる例として記載したものであり、本発明はこれらにより限定されない。
【符号の説明】
【０１００】
１          遊技媒体案内ユニット
１１        遊技媒体受入具
１２        案内流路部
１３        端玉返却部
２１        本体部材
２１Ａ      下部本体部材
２１Ｂ      上部本体部材
２２        弾性壁部材
２３        玉はね防止カバー
２４        付勢手段
２５        ガイド機構
２６        スカートカバー
５１        底部
５２        立設壁部
５２ａ      内側壁
５２ｂ      外側壁
５２ｃ      上部材
５２ｄ      横部材
５３        ガイド溝
５４        突条
５６        第一切欠き部
５７        第二切欠き部
５８        第三切欠き部
５９        第四切欠き部
６０        ガイドベース
６２        受け座
６４        ガイド部材
６６        凸型ガイド部材（ガイド部材）
７０        スカート調節機構
８０        本体調節機構
８１        高さ調節ネジ
８２        ロック部材
１００      パチンコ機
１０１      玉貸機  
１０２      受皿
１０２ａ    排出レバー
１０２ｂ    シャッタ
１０３      玉計数機
１０４      前扉
１０５      排出口
Ｂ          遊技媒体
Ｚ          膳板
Ｚ１        遊技台設置面
Ｚ２        受入具設置面
Ｚ３        段差面
【図１】
0005465113.tif 000002
【図２】
0005465113.tif 000003
【図３】
0005465113.tif 000004
【図４】
0005465113.tif 000005
【図５】
0005465113.tif 000006
【図６】
0005465113.tif 000007
【図７】
0005465113.tif 000008
【図８】
0005465113.tif 000009
【図９】
0005465113.tif 000010
【図１０】
0005465113.tif 000011
【図１１】
0005465113.tif 000012
【図１２】
0005465113.tif 000013